(57)【特許請求の範囲】
【請求項１】
ＣＤ規格もしくはＤＶＤ規格の光ディスクを再生する光ディスク再生装置において、
ＣＤ規格の光ディスクを再生するためのＣＤレーザとＤＶＤ規格の光ディスクを再生するためのＤＶＤレーザとを備えた光ピックアップと、
前記ＣＤレーザによって光ディスクをフォーカスサーチしたとき、前記光ピックアップからのＲＦ信号より得られるフォーカスエラー信号のピーク・ピーク値である第１のフォーカスエラーピーク・ピーク値と、前記ＲＦ信号の直流成分の最大値である第１の直流成分最大値とを検出する第１の検出手段と、
前記第１のフォーカスエラーピーク・ピーク値を前記第１の直流成分最大値で割ったフォーカスエラー・直流成分比を算出する算出手段と、
前記ＤＶＤレーザによって光ディスクをフォーカスサーチしたとき、前記光ピックアップからのＲＦ信号より得られるフォーカスエラー信号のピーク・ピーク値である第２のフォーカスエラーピーク・ピーク値と、前記ＲＦ信号の直流成分の最大値である第２の直流成分最大値と、前記ＲＦ信号の交流成分の最大値である交流成分最大値とを検出する第２の検出手段と、
前記第１の直流成分最大値が第１の判定値より小さい第１の条件を満たさず、前記第１のフォーカスエラーピーク・ピーク値が第２の判定値より大きい第２の条件を満たすとき、前記光ディスクはＣＤ−ＲＷを除くＣＤ規格の光ディスクであると判定する第１の判定手段と、
前記第２のフォーカスエラーピーク・ピーク値が第３の判定値より大きいか、前記第２の直流成分最大値が第４の判定値より大きい第３の条件を満たすか、前記交流成分最大値が第５の判定値より大きいか、前記フォーカスエラー・直流成分比が第６の判定値より小さい第４の条件を満たすとき、前記光ディスクはＤＶＤ規格の光ディスクであると判定する第２の判定手段とを備えて構成したことを特徴とする光ディスク再生装置。
【請求項２】
前記第２の判定手段は、前記第３の条件を満たすときは１層型ＤＶＤであると判定し、前記第３の条件を満たさず、前記第４の条件を満たすときは２層型ＤＶＤであると判定することを特徴とする請求項１記載の光ディスク再生装置。
【請求項３】
前記第３及び第４の条件の双方を満たさないとき、前記光ディスクはＣＤ−ＲＷであると判定する第３の判定手段をさらに備えて構成したことを特徴とする請求項１または２のいずれかに記載の光ディスク再生装置。
【請求項４】
前記第１の条件を満たすとき、光ディスクなしと判定する光ディスク非装填判定手段をさらに設けて構成したことを特徴とする請求項１ないし３のいずれかに記載の光ディスク再生装置。
【請求項５】
前記ＣＤレーザによるフォーカスサーチは、光ディスクを回転させるためのスピンドルを回転させずに行うと共に、前記ＤＶＤレーザによるフォーカスサーチは、前記スピンドルを回転させて行うことを特徴とする請求項１ないし４のいずれかに記載の光ディスク再生装置。
【請求項６】
ＣＤ規格もしくはＤＶＤ規格の光ディスクの種類を判別するための光ディスク判別方法において、
ＣＤ規格の光ディスクを再生するためのＣＤレーザによって光ディスクをフォーカスサーチする第１のフォーカスサーチステップと、
前記第１のフォーカスサーチステップにより得られる前記光ディスクから読み出したＲＦ信号より、フォーカスエラー信号のピーク・ピーク値である第１のフォーカスエラーピーク・ピーク値と、前記ＲＦ信号の直流成分の最大値である第１の直流成分最大値とを検出する第１の検出ステップと、
前記第１のフォーカスエラーピーク・ピーク値を前記第１の直流成分最大値で割ったフォーカスエラー・直流成分比を算出する算出ステップと、
前記第１の直流成分最大値が第１の判定値より小さい第１の条件を満たさず、前記第１のフォーカスエラーピーク・ピーク値が第２の判定値より大きい第２の条件を満たすとき、前記光ディスクはＣＤ−ＲＷを除くＣＤ規格の光ディスクであると判定する第１の判定ステップと、
ＤＶＤ規格の光ディスクを再生するためのＤＶＤレーザによって光ディスクをフォーカスサーチする第２のフォーカスサーチステップと、
前記第２のフォーカスサーチステップにより得られる前記光ディスクから読み出したＲＦ信号より、フォーカスエラー信号のピーク・ピーク値である第２のフォーカスエラーピーク・ピーク値と、前記ＲＦ信号の直流成分の最大値である第２の直流成分最大値と、前記ＲＦ信号の交流成分の最大値である交流成分最大値とを検出する第２の検出ステップと、
前記第２のフォーカスエラーピーク・ピーク値が第３の判定値より大きいか、前記第２の直流成分最大値が第４の判定値より大きい第３の条件を満たすか、前記交流成分最大値が第５の判定値より大きいか、前記フォーカスエラー・直流成分比が第６の判定値より小さい第４の条件を満たすとき、前記光ディスクはＤＶＤ規格の光ディスクであると判定する第２の判定ステップとを含むことを特徴とする光ディスク判別方法。
【請求項７】
前記第２の判定ステップは、前記第３の条件を満たすときは１層型ＤＶＤであると判定し、前記第３の条件を満たさず、前記第４の条件を満たすときは２層型ＤＶＤであると判定することを特徴とする請求項６記載の光ディスク判別方法。
【請求項８】
前記第３及び第４の条件の双方を満たさないとき、前記光ディスクはＣＤ−ＲＷであると判定する第３の判定ステップをさらに含むことを特徴とする請求項６または７のいずれかに記載の光ディスク判別方法。
【請求項９】
前記第１の条件を満たすとき、光ディスクなしと判定する光ディスク非装填判定ステップをさらに含むことを特徴とする請求項６ないし８のいずれかに記載の光ディスク判別方法。
【請求項１０】
前記第１のフォーカスサーチステップは、光ディスクを回転させるためのスピンドルを回転させずに行うと共に、前記第２のフォーカスサーチステップは、前記スピンドルを回転させて行うことを特徴とする請求項６ないし９のいずれかに記載の光ディスク判別方法。
【発明の詳細な説明】
【０００１】
【発明の属する技術分野】
本発明は、ＣＤ（コンパクトディスク）規格，ＤＶＤ（デジタルバーサタイルディスク）規格の複数の光ディスクを再生する光ディスク再生装置、及び、この光ディスク再生装置で用いる光ディスク判別方法に関する。
【０００２】
【従来の技術】
近年、光ディスクの種類が多様化しており、１つの光ディスク再生装置で複数種類の光ディスクを再生することが必要とされている。ＣＤ規格の光ディスクには、再生専用の音楽用ＣＤ，ＣＤ−ＲＯＭ，ビデオＣＤ，１回のみ記録可能なＣＤ−Ｒ，複数回の記録が可能な書き換え型のＣＤ−ＲＷ等がある。以下、再生専用の音楽用ＣＤ，ＣＤ−ＲＯＭ，ビデオＣＤを総称して、単にＣＤと呼ぶこととする。ＤＶＤ規格の光ディスクには、１層型ＤＶＤ，２層型ＤＶＤ等がある。
【０００３】
【発明が解決しようとする課題】
このように、光ディスクの種類が多様化していることから、光ディスク再生装置においては、光ディスクの種類を的確に判別し、それぞれのディスクに応じた再生の制御を行うことが必要となる。また、光ディスクの種類を判別するに際しては、ＣＤ−ＲやＣＤ−ＲＷのような再生専用ではない光ディスクに対して誤って情報を書き込んだり、既に記録されている情報を破壊しないようにすることが必要となる。
【０００４】
本発明はこのような問題点に鑑みなされたものであり、ＣＤ規格の光ディスクとＤＶＤ規格の光ディスクの種類を、誤判別なく、誤って情報を書き込んだり、記録されている情報を破壊することなく、的確に判別することができる光ディスク再生装置及び光ディスク判別方法を提供することを目的とする。また、ＣＤ規格の光ディスクを再生するためのＣＤレーザとＤＶＤ規格の光ディスクを再生するためのＤＶＤレーザとを備える、いわゆる２レーザ型の光ディスク再生装置に用いて好適な光ディスク判別方法を提供することを目的とする。
【０００５】
【課題を解決するための手段】
本発明は、上述した従来の技術の課題を解決するため、
（ａ）ＣＤ規格もしくはＤＶＤ規格の光ディスク（１）を再生する光ディスク再生装置において、ＣＤ規格の光ディスクを再生するためのＣＤレーザ（３１）とＤＶＤ規格の光ディスクを再生するためのＤＶＤレーザ（３２）とを備えた光ピックアップ（３）と、前記ＣＤレーザによって光ディスクをフォーカスサーチしたとき、前記光ピックアップからのＲＦ信号より得られるフォーカスエラー信号のピーク・ピーク値である第１のフォーカスエラーピーク・ピーク値（CDFEpp）と、前記ＲＦ信号の直流成分の最大値である第１の直流成分最大値（CDASmax）とを検出する第１の検出手段（４〜６，Ｓ３）と、前記第１のフォーカスエラーピーク・ピーク値を前記第１の直流成分最大値で割ったフォーカスエラー・直流成分比（CD-FE・AS比）を算出する算出手段（６，Ｓ４）と、前記ＤＶＤレーザによって光ディスクをフォーカスサーチしたとき、前記光ピックアップからのＲＦ信号より得られるフォーカスエラー信号のピーク・ピーク値である第２のフォーカスエラーピーク・ピーク値（DVDFEpp）と、前記ＲＦ信号の直流成分の最大値である第２の直流成分最大値（DVDASmax）と、前記ＲＦ信号の交流成分の最大値である交流成分最大値（DVDENVmax）とを検出する第２の検出手段（４〜６，Ｓ１２）と、前記第１の直流成分最大値が第１の判定値より小さい第１の条件を満たさず、前記第１のフォーカスエラーピーク・ピーク値が第２の判定値より大きい第２の条件を満たすとき、前記光ディスクはＣＤ−ＲＷを除くＣＤ規格の光ディスクであると判定する第１の判定手段（６，Ｓ５，Ｓ７，Ｓ８）と、前記第２のフォーカスエラーピーク・ピーク値が第３の判定値より大きいか、前記第２の直流成分最大値が第４の判定値より大きい第３の条件を満たすか、前記交流成分最大値が第５の判定値より大きいか、前記フォーカスエラー・直流成分比が第６の判定値より小さい第４の条件を満たすとき、前記光ディスクはＤＶＤ規格の光ディスクであると判定する第２の判定手段（６，Ｓ１３〜Ｓ１６）とを備えて構成したことを特徴とする光ディスク再生装置を提供し、
（ｂ）ＣＤ規格もしくはＤＶＤ規格の光ディスク（１）の種類を判別するための光ディスク判別方法において、ＣＤ規格の光ディスクを再生するためのＣＤレーザ（３１）によって光ディスクをフォーカスサーチする第１のフォーカスサーチステップ（Ｓ２）と、前記第１のフォーカスサーチステップにより得られる前記光ディスクから読み出したＲＦ信号より、フォーカスエラー信号のピーク・ピーク値である第１のフォーカスエラーピーク・ピーク値（CDFEpp）と、前記ＲＦ信号の直流成分の最大値である第１の直流成分最大値（CDASmax）とを検出する第１の検出ステップ（Ｓ３）と、前記第１のフォーカスエラーピーク・ピーク値を前記第１の直流成分最大値で割ったフォーカスエラー・直流成分比（CD-FE・AS比）を算出する算出ステップ（Ｓ４）と、前記第１の直流成分最大値が第１の判定値より小さい第１の条件を満たさず、前記第１のフォーカスエラーピーク・ピーク値が第２の判定値より大きい第２の条件を満たすとき、前記光ディスクはＣＤ−ＲＷを除くＣＤ規格の光ディスクであると判定する第１の判定ステップ（Ｓ５，Ｓ７，Ｓ８）と、ＤＶＤ規格の光ディスクを再生するためのＤＶＤレーザ（３２）によって光ディスクをフォーカスサーチする第２のフォーカスサーチステップ（Ｓ１１）と、前記第２のフォーカスサーチステップにより得られる前記光ディスクから読み出したＲＦ信号より、フォーカスエラー信号のピーク・ピーク値である第２のフォーカスエラーピーク・ピーク値（DVDFEpp）と、前記ＲＦ信号の直流成分の最大値である第２の直流成分最大値（DVDASmax）と、前記ＲＦ信号の交流成分の最大値である交流成分最大値（DVDENVmax）とを検出する第２の検出ステップ（Ｓ１２）と、前記第２のフォーカスエラーピーク・ピーク値が第３の判定値より大きいか、前記第２の直流成分最大値が第４の判定値より大きい第３の条件を満たすか、前記交流成分最大値が第５の判定値より大きいか、前記フォーカスエラー・直流成分比が第６の判定値より小さい第４の条件を満たすとき、前記光ディスクはＤＶＤ規格の光ディスクであると判定する第２の判定ステップ（Ｓ１３〜Ｓ１６）とを含むことを特徴とする光ディスク判別方法を提供するものである。
【０００６】
【発明の実施の形態】
以下、本発明の光ディスク再生装置及び光ディスク判別方法について、添付図面を参照して説明する。図１は本発明の光ディスク再生装置の一実施例を示すブロック図、図２は図１中の信号処理回路４の構成例を示すブロック図、図３は本発明の光ディスク判別方法の一実施例を示すフローチャートである。
【０００７】
図１において、ＣＤ規格もしくはＤＶＤ規格に準拠した光ディスク１は、スピンドル２ａに装着（チャッキング）され、スピンドルモータ２よって回転される。ＣＤ規格の光ディスク１は、ＣＤ，ＣＤ−ＲＯＭ，ビデオＣＤ，ＣＤ−Ｒ，ＣＤ−ＲＷ等である。ＤＶＤ規格の光ディスク１は、１層型ＤＶＤ，２層型ＤＶＤ等である。光ピックアップ３は、光ディスク１に記録された音声信号や映像信号等の各種の情報を読み出す。
【０００８】
光ピックアップ３は、ＣＤ規格の光ディスク１を再生するときに用いるＣＤレーザ３１と、ＤＶＤ規格の光ディスク１を再生するときに用いるＤＶＤレーザ３２とを有する。ＣＤレーザ３１が発するレーザの波長は７８０ｎｍ、ＤＶＤレーザ３２が発するレーザの波長は６５０ｎｍである。ＣＤレーザ３１を光ディスク１に照射したとき反射する光は、フォトディテクタ３３で検知され、ＤＶＤレーザ３２を光ディスク１に照射したとき反射する光は、フォトディテクタ３４で検知される。
【０００９】
フォトディテクタ３３，３４の検知信号はヘッドアンプ３５に入力される。ヘッドアンプ３５は、後述するディスク判別方法によって光ディスク１の種類が判別され、その光ディスク１が１層型ＤＶＤ及び２層型ＤＶＤを再生する場合には、１層型ＤＶＤか２層型ＤＶＤに応じたそれぞれの増幅率によって、フォトディテクタ３３，３４の検知信号を増幅する。例えば、２層型ＤＶＤを再生する場合、１層型ＤＶＤのときの２．６７倍に増幅する。光ディスク１がＣＤ規格のディスクである場合には、後述する信号処理回路４内で光ディスク１の種類に応じてフォトディテクタ３３の出力を増幅する。なお、光ピックアップ３は、通常レンズ等の他の部品も備えているが、ここではそれらの部品の図示を省略している。
【００１０】
ヘッドアンプ３５によって増幅されて出力された信号は、光ディスク１上の情報を電気的に読み出した信号であり、ＲＦ（Radio Frequency）信号と称される。通常、フォトディテクタは、２つもしくは４つのように複数に分割されており、ＲＦ信号は複数の信号よりなる。本実施例では、フォトディテクタ３３，３４はそれぞれ２つに分割されており、後述するように、ＲＦ信号はＦ１，Ｆ２なる２つの信号よりなるものとする。
【００１１】
光ピックアップ３より出力されたＲＦ信号は、信号処理回路４に入力される。光ディスク１にＣＤレーザ３１もしくはＤＶＤレーザ３２によってレーザを照射して、光ピックアップ３をフォーカス方向（図１の上下方向：光ディスク１に近付く・離れる方向）に移動させて、フォーカスサーチを行わせたとき、信号処理回路４は、ＲＦ信号を基にして、フォーカスエラー信号（以下、ＦＥ信号）と、ＲＦ信号の直流成分を表す信号（以下、ＡＳ信号）と、ＲＦ信号の交流成分を表す信号（以下、ＥＮＶ信号）とを生成する。信号処理回路４は、アンプを備えており、フォトディテクタ３３の出力を、例えば、ＣＤ−ＲＷを再生する場合、ＣＤのときの４倍に増幅する。
【００１２】
ここで、ＦＥ信号，ＡＳ信号，ＥＮＶ信号を生成するための具体的構成例について説明する。信号処理回路４は、図２（Ａ），（Ｂ）に示すような回路を備えている。図２（Ａ）はＦＥ信号とＡＳ信号を生成するための回路であり、図２（Ｂ）はＥＮＶ信号を生成するための回路である。まず、図２（Ａ）において、Ｆ１，Ｆ２よりなるＲＦ信号は、減算器４１及び加算器４２に入力される。減算器４１は、Ｆ１よりＦ２を減算することによりＦＥ信号を生成する。加算器４２は、Ｆ１とＦ２とを加算することによりＡＳ信号を生成する。なお、ＦＥ信号とＡＳ信号を生成するための回路構成は図２（Ａ）に示すものに限定されるものではない。
【００１３】
図２（Ｂ）において、ＲＦ信号はピークホールド回路４３及びボトムホールド回路４４に入力される。ここでのＲＦ信号とは、Ｆ１，Ｆ２を任意の方法により合成したものであり、Ｆ１，Ｆ２の全体に相当する信号である。ピークホールド回路４３はＲＦ信号のピークをホールドし、減算器４５に入力する。ボトムホールド回路４４はＲＦ信号のボトムをホールドし、減算器４５に入力する。減算器４５は、ピークホールド回路４３の出力よりボトムホールド回路４４の出力を減算することにより、ＥＮＶ信号を生成する。ＥＮＶ信号を生成するための回路構成は図２（Ｂ）に示すものに限定されるものではない。
【００１４】
これらのＦＥ信号とＡＳ信号とＥＮＶ信号は、サーボコントローラ５に入力される。なお、ＦＥ信号とＡＳ信号とＥＮＶ信号は、アナログ信号である。サーボコントローラ５は、フォーカスサーチの間に入力されるＦＥ信号とＡＳ信号とＥＮＶ信号を基にして、ＦＥ信号の最大値（以下、ＦＥmax）及び最小値（以下、ＦＥmin）と、ＡＳ信号の最大値（以下、ＡＳmax）と、ＥＮＶ信号の最大値（以下、ＥＮＶmax）を例えば１６ビットのデジタルデータにて生成して出力する。ＦＥmax，ＦＥmin，ＡＳmax，ＥＮＶmaxはマイクロコンピュータ６（以下、マイコン６と称する）に入力される。
【００１５】
マイコン６は、入力されたＦＥmaxとＦＥminとを用いてＦＥ信号のピーク・ピーク値（以下、ＦＥpp）を生成すると共に、ＦＥppをＡＳmaxで割ったＦＥ・ＡＳ比を算出する。マイコン６は、後述する光ディスク判別方法によって、ＦＥpp，ＡＳmax，ＥＮＶmax及びＦＥ・ＡＳ比を用いて光ディスク１の種類を判別する。
【００１６】
ＣＤレーザ３１を光ディスク１に照射したときに得られるＦＥppをCDFEpp、ＣＤレーザ３１を光ディスク１に照射したときに得られるＡＳmaxをCDASmaxと称することとする。また、ＤＶＤレーザ３２を光ディスク１に照射したときに得られるＦＥppをDVDFEpp、ＤＶＤレーザ３２を光ディスク１に照射したときに得られるＡＳmaxをDVDASmax、ＤＶＤレーザ３２を光ディスク１に照射したときに得られるＥＮＶmaxをDVDENVmaxと称することとする。ＦＥppとはCDFEppとDVDFEppのいずれかであり、ＡＳmaxとはCDASmaxとDVDASmaxのいずれかであり、ＥＮＶmaxとはDVDENVmaxである。
【００１７】
また、マイコン６は、回路各部、ここでは信号処理回路４とサーボコントローラ５を制御する。本発明とは直接関連しないが、信号処理回路４はイコライザ調整も行うので、マイコン６は信号処理回路４を制御してイコライザ調整を行う。マイコン６は、サーボコントローラ５を制御することにより、判別された光ディスクの種類に応じた制御を行わせる。サーボコントローラ５は、サーボドライバ７を制御する。サーボドライバ７はスピンドルモータ２を駆動したり、光ピックアップ３の各部を駆動する。
【００１８】
なお、マイコン６には光ディスク１を載置する図示していないトレイのイジェクト（排出）やローディング（挿入）を検知した信号や、図示していない操作部（リモコン送信機を含む）からの再生や停止等の各種の操作信号も入力される。マイコン６はこれらの入力信号に応じて回路各部を制御する。
【００１９】
サーボドライバ７によってスピンドルモータ２を回転させると、スピンドル２ａが回転し、光ディスク１が回転する。サーボドライバ７は、光ディスク１に照射するＣＤレーザ３１もしくはＤＶＤレーザ３２のいずれかを選択したり、光ディスク１に対して光ピックアップ３をフォーカス方向に移動させて、フォーカスサーチを行わせる。また、サーボドライバ７は、光ディスク１を再生する際、光ピックアップ３を径方向に移動させたり、ヘッドアンプ３５における増幅率を制御したりする。
【００２０】
次に、図３を用いて、本発明の光ディスク判別方法について詳細に説明する。光ディスク１を載置するトレイが筐体よりイジェクトされた後に筐体内へとローディングされたことをマイコン６が検知すると、図３に示す光ディスク１の種類判別の処理を開始する。
【００２１】
まず、ステップＳ１にて、マイコン６はＣＤレーザ３１を点灯させるようサーボコントローラ５を制御する。サーボコントローラ５はサーボドライバ７を制御し、サーボドライバ７が光ピックアップ３を駆動することにより、ＣＤレーザ３１を点灯させる。このとき、本実施例では、スピンドルモータ２は回転させない。これは、光ディスク１を回転させなくても、後のステップで検出するCDFEppとCDASmaxが正しく検出されるためである。トレイがローディングされたのみでは、光ディスク１が筐体内に装填されていない可能性もあり、スピンドルモータ２を回転させないことは、無駄な動作をさせないという点で好ましいことである。光ディスク１の種類判別前に光ディスク１が装填されていることが検出されていれば、光ディスク１を回転させてもよい。
【００２２】
ステップＳ２にて、フォーカスサーチを行う。このときのＣＤレーザ３１のレーザの強さは、ＣＤを再生するときと同じ強さでよい。よって、再生専用ではない光ディスク１（ＣＤ−Ｒ，ＣＤ−ＲＷ）に対して誤って情報を書き込んだり、既に記録されている情報を破壊することはない。また、フォーカスサーチする部分は、例えば光ディスク１の内周部であるが、情報（ピット）が記録されている部分であればどこでもよい。
【００２３】
このフォーカスサーチによって上述のように信号処理回路４にはＲＦ信号が入力される。信号処理回路４〜マイコン６は、ステップＳ３にて、CDFEppとCDASmaxを検出する。マイコン６は、ステップＳ４にて、CDFEppをCDASmaxで割ったCD-FE・AS比を算出する。
【００２４】
そして、マイコン６は、ステップＳ５にて、CDASmaxが第１の判定値Ｐ１より小さいという第１の条件を満たすか否かを判定する。この第１の条件を満たせば（CDASmaxが第１の判定値Ｐ１より小さければ）、ステップＳ６にて、光ディスク１が装填されていないと判定し、光ディスク１の種類判別の処理を終了する。第１の条件を満たさなければ（CDASmaxが第１の判定値Ｐ１以上であれば）、ステップＳ７に移る。マイコン６によるステップＳ６の処理は、光ディスク非装填判定手段，光ディスク非装填判定ステップである。
【００２５】
マイコン６は、ステップＳ７にて、CDFEppが第２の判定値Ｐ２より大きいという第２の条件を満たすか否かを判定する。この第２の条件を満たせば（CDFEppが第２の判定値Ｐ２より大きければ）、ステップＳ８にて、光ディスク１はＣＤ（ＣＤ−ＲＷ以外のＣＤ規格の光ディスク）であると判定し、光ディスク１の種類判別の処理を終了する。第２の条件を満たさなければ（CDFEppが第２の判定値Ｐ２以下であれば）、ステップＳ９に移る。なお、図３中、ステップＳ８では、ＣＤ，ＣＤ−Ｒを判定すると記載したが、ＣＤ−ＲＯＭ，ビデオＣＤも含む。マイコン６によるステップＳ５，Ｓ７，Ｓ８の処理は、ＣＤ−ＲＷを除くＣＤ規格の光ディスクであることを判定する判定手段，判定ステップである。
【００２６】
次に、マイコン６は、ステップＳ９にて、スピンドル２ａを回転させるようサーボコントローラ５を制御する。サーボコントローラ５はサーボドライバ７を制御し、スピンドルモータ２を駆動することにより、スピンドル２ａ（即ち、光ディスク１）を回転させる。ステップＳ１０にて、ＣＤレーザ３１を消灯させ、ＤＶＤレーザ３２を点灯させる。ステップＳ１１にて、フォーカスサーチを行う。このときのＤＶＤレーザ３２のレーザの強さは、１層型ＤＶＤを再生するときと同じ強さでよい。また、フォーカスサーチする部分は、例えば光ディスク１の内周部の情報（ピット）が記録されている部分である。
【００２７】
信号処理回路４〜マイコン６は、ステップＳ１２にて、DVDFEppとDVDASmaxとDVDENVmaxを検出する。このように、ＤＶＤレーザ３２によってフォーカスサーチする際に光ディスク１を回転させるのは、DVDENVmaxを正しく検出するためである。DVDENVmaxを正しく検出するには、光ディスク１のピットとランドの双方をレーザにて照射することが必要であり、光ディスク１が停止していれば、図２（Ｂ）で説明したＲＦ信号のピークとボトムが検出できないためである。
【００２８】
そして、マイコン６は、ステップＳ１３にて、DVDFEppが第３の判定値Ｐ３より大きいか、または、DVDASmaxが第４の判定値Ｐ４より大きいという第３の条件を満たすか否かを判定する。この第３の条件を満たせば（“DVDFEppが第３の判定値Ｐ３より大きい”か、“DVDASmaxが第４の判定値Ｐ４より大きい”のいずれかであれば）、ステップＳ１４にて、光ディスク１は１層型ＤＶＤであると判定し、光ディスク１の種類判別の処理を終了する。第３の条件を満たさなければ（“DVDFEppが第３の判定値Ｐ３以下”で、かつ、“DVDASmaxが第４の判定値Ｐ４以下”であれば）、ステップＳ１５に移る。
【００２９】
本実施例では、好ましい実施形態として、DVDFEppとDVDASmaxの２つの信号を用いて光ディスク１が１層型ＤＶＤであることを判定しているので、誤判定の可能性はほどんどない。DVDFEppとDVDASmaxの内の一方だけでも１層型ＤＶＤであることを判定できるので、一方だけとすることも可能である。
【００３０】
マイコン６は、ステップＳ１５にて、DVDENVmaxが第５の判定値Ｐ５より大きいか、または、CD-FE・AS比が第６の判定値Ｐ６より小さいという第４の条件を満たすか否かを判定する。この第４の条件を満たせば（“DVDENVmaxが第５の判定値Ｐ５より大きい”か、“CD-FE・AS比が第６の判定値Ｐ６より小さい”のいずれかであれば）、ステップＳ１６にて、光ディスク１は２層型ＤＶＤであると判定し、光ディスク１の種類判別の処理を終了する。マイコン６によるステップＳ１３〜Ｓ１６の処理は、ＤＶＤ規格の光ディスクであることを判定する判定手段，判定ステップである。
【００３１】
本実施例では、好ましい実施形態として、DVDENVmaxとCD-FE・AS比の２つの信号を用いて光ディスク１が２層型ＤＶＤであることを判定しているので、誤判定の可能性はほどんどない。DVDENVmaxとCD-FE・AS比の内の一方だけでも１層型ＤＶＤであることを判定できるので、一方だけとすることも可能である。
【００３２】
第４の条件を満たさなければ（“DVDENVmaxが第５の判定値Ｐ５以下”で、かつ、“CD-FE・AS比が第６の判定値Ｐ６以上”であれば）、ステップＳ１７に移る。マイコン６は、ステップＳ１７にて、ＣＤ−ＲＷであると判定し、光ディスク１の種類判別の処理を終了する。マイコン６によるステップＳ１７の処理は、ＣＤ−ＲＷであることを判定する判定手段，判定ステップである。
【００３３】
以上説明した本実施例では、ＣＤ−ＲＷの判定ステップが最後となっている。光ディスク再生装置がいわゆるＤＶＤプレーヤであれば、ＤＶＤの再生が主であり、ＣＤ−ＲＷを再生する頻度はさほど多くないと考えられるため、ＣＤ−ＲＷの判定ステップを最後とすることは、好ましい実施形態であると言える。
【００３４】
さて、ここで、図３に示す処理によってそれぞれの光ディスク１を判別することができる理由について説明する。ＣＤ規格及びＤＶＤ規格の規格書に定められているそれぞれの光ディスクにおけるレーザの反射率は次の通りである。
１層型ＤＶＤ：４５〜８５％
２層型ＤＶＤ：１８〜３０％
ＣＤ：７０％以上
ＣＤ−Ｒ：６５％以上
ＣＤ−ＲＷ：１５〜２５％
【００３５】
ＤＶＤ規格の光ディスク１とＣＤ規格の光ディスク１とは、上記のような反射率やディスクの厚さの違いによる光学的な性質の相違があることから、ＣＤ規格の光ディスク１にＣＤレーザ３１を照射した場合と、ＣＤ規格の光ディスク１にＤＶＤレーザ３２を照射した場合と、ＤＶＤ規格の光ディスク１にＣＤレーザ３１を照射した場合と、ＤＶＤ規格の光ディスク１にＤＶＤレーザ３２を照射した場合とでは、光ピックアップ３より出力されるＲＦ信号のレベルが互いに異なることとなる。よって、ＦＥpp，ＡＳmax，ＥＮＶmaxはそれぞれの光ディスク１に応じた値となる。
【００３６】
さらに具体的に説明する。ＡＳmaxは光ディスク１から反射した光量に相当するので、光ディスク１が装填されていなければ、ＣＤレーザ３１を照射した場合、レーザはほとんど反射されず、ＡＳmaxは小さくなる。光ディスク１がＣＤであれば、ＣＤレーザ３１を照射した場合、レーザの反射光量は正常なレベルが得られ、他のディスクと比較して大きくなる。ＣＤ−ＲＷでは、上記のように反射率が小さいため、ＣＤの場合よりも反射光量は小さくなる。ＤＶＤ規格の光ディスク１にＣＤレーザ３１を照射した場合には、光学的な性質が異なることから、検出ロスが大きく、反射光量は小さくなる。
【００３７】
１層型ＤＶＤの再生レベルにてＤＶＤレーザ３２を照射した場合、１層型ＤＶＤは２層型ＤＶＤよりも反射率が大きいため、光ディスク１が１層型ＤＶＤのときに反射光量は最も大きくなる。ＣＤ−ＲＷは反射率が小さいため、１層型ＤＶＤのときの反射光量よりも小さくなる。ＣＤ−ＲＷにＤＶＤレーザ３２を照射してもディスクの厚さの違いから焦点が合わず、ＥＮＶmaxは正常に検出されないため、その値は小さくなる。一方、光学的な性質の違いにより、CD-FE・AS比は２層型ＤＶＤよりもＣＤ−ＲＷの方が大きくなる。
【００３８】
こられの原理に基づき、上述した第１〜第６の判定値Ｐ１〜Ｐ６は一例として次のように設定すればよい。本実施例では、サーボコントローラ５の電源電圧を３．３Ｖとし、０〜３．３Ｖの範囲の信号をサーボコントローラ５が例えば１６ビットのデジタルデータに変換してマイコン６に供給する。判定値Ｐ１〜Ｐ５の一例を１６ビットのデジタルデータで、また、理解を容易にするため電圧値を括弧書きにて示すと、Ｐ１：１２００（６０ｍＶ），Ｐ２：８１００（４０８ｍＶ），Ｐ３：５０００（２５２ｍＶ），Ｐ４：２３００（１１９ｍＶ），Ｐ５：２１００（１０６ｍＶ）である。Ｐ６は、例えば、０．１０５なる数値である。
【００３９】
これら判定値Ｐ１〜Ｐ６の値は、単なる一例であり、上記のものに限定されるものではない。判定値Ｐ１〜Ｐ６は、種々の条件に応じた最適な値があり、その条件に応じて適宜設定すればよい。
【００４０】
本発明では、ＤＶＤ規格の光ディスクとＣＤ−ＲＷとを判別する際、CD-FE・AS比を用いているので、光ディスク１の反射率やレーザの強さのばらつきを相殺することができ、ばらつきに影響されない正確な判別をすることができるという特長を有する。これは、次の理由による。前述のように、ＦＥ信号はＦ１−Ｆ２であり、ＡＳ信号はＦ１＋Ｆ２である。フォトディテクタ３３，３４は光を電気信号に変換するので、反射率の強さと出力される電気信号は比例関係にある。
【００４１】
標準的な光ディスク１を標準的な光ピックアップ３で再生したとき、２分割されたフォトディテクタ３３もしくは３４のそれぞれの部分からの電気信号をｆ１，ｆ２とし、光ディスク１のばらつきをＤ、レーザの強さやフォトディテクタ３３，３４のばらつきを含む光ピックアップ３のばらつきをＰとすると、
Ｆ１＝Ｄ×Ｐ×ｆ１
Ｆ２＝Ｄ×Ｐ×ｆ２
と表されることになる。
【００４２】
これらをＦＥ・ＡＳ比（CD-FE・AS比）を求めるＦＥ／ＡＳの式に代入すると、光ディスク１のばらつきＤ及び光ピックアップ３のばらつきＰは相殺され、これらのばらつきに影響されない正確な値となる。なお、正確には、ＦＥ・ＡＳ比を求める式はＦＥpp／ＡＳmaxであるが、ばらつきが相殺される点では実質的に同じである。これにより、光ディスク１は正確に判別される。
【００４３】
【発明の効果】
以上詳細に説明したように、本発明の光ディスク再生装置及び光ディスク判別方法は、ＣＤレーザによるフォーカスサーチによって、第１のフォーカスエラーピーク・ピーク値と、ＲＦ信号の直流成分の最大値である第１の直流成分最大値とを検出し、第１のフォーカスエラーピーク・ピーク値を第１の直流成分最大値で割ったフォーカスエラー・直流成分比を算出し、第１のフォーカスエラーピーク・ピーク値と第１の直流成分最大値とを用いてＣＤ−ＲＷを除くＣＤ規格の光ディスクであると判定し、さらに、ＤＶＤレーザによるフォーカスサーチによって、第２のフォーカスエラーピーク・ピーク値と、ＲＦ信号の直流成分の最大値である第２の直流成分最大値と、ＲＦ信号の交流成分の最大値である交流成分最大値とを検出し、第２のフォーカスエラーピーク・ピーク値と第２の直流成分最大値と交流成分最大値とフォーカスエラー・直流成分比とを用いてＤＶＤ規格の光ディスクであると判定するよう構成したので、ＣＤ規格の光ディスクとＤＶＤ規格の光ディスクの種類を、誤判別なく、誤って情報を書き込んだり、記録されている情報を破壊することなく、的確に判別することができる。また、本発明の光ディスク判別方法は、２レーザ型の光ディスク再生装置に用いて好適である。
【図面の簡単な説明】
【図１】本発明の光ディスク再生装置の一実施例を示すブロック図である。
【図２】図１中の信号処理回路４の構成例を示すブロック図である。
【図３】本発明の光ディスク判別方法の一実施例を示すフローチャートである。
【符号の説明】
１  光ディスク
２  スピンドルモータ
２ａ  スピンドル
３  光ピックアップ
４  信号処理回路
５  サーボコントローラ
６  マイクロコンピュータ
７  サーボドライバ
３１  ＣＤレーザ
３２  ＤＶＤレーザ
３３，３４  フォトディテクタ
３５  ヘッドアンプ
【図１】
0003647358.tif 000002
【図２】
0003647358.tif 000003
【図３】
0003647358.tif 000004